(57)【要約】【課題】アクチュエータに接近して配置されるフレキシブル配線基板の信号経路部がアクチュエータの可動部に接触する危惧がある。【解決手段】フレキシブル配線基板７の第１信号経路部７ａ及び第２信号経路部７ｂが重ねて配置される部分に対応して光学ハウジング１にネジ止め固定する取付板２１を配置し、この取付板２１を導電性材料により構成し、第１信号経路部７ａ及び第２信号経路部７ｂの一方を取付板２１により被ってこの取付板２１と共に光学ハウジング１にネジ止め固定すると共に、取付板２１に第１信号経路部７ａ及び第２信号経路部７ｂの他方を係止する係止部２５を設け、取付板２１を第１信号経路部７ａ及び第２信号経路部７ｂ間に介在させて配置させている。このようにして取付板２１により第１信号経路部７ａ及び第２信号経路部７ｂを係止すると共に、取付板２１により第１信号経路部７ａ及び第２信号経路部７ｂ間をシールドする。【選択図】図２
2005346852.tif 000002
【特許請求の範囲】
【請求項１】
レーザ光源から出射されるレーザ光を用いて信号記録媒体に対する信号読み取り、及びあるいは信号書き込みを行う光学ヘッド装置内の電気配線にフレキシブル配線基板を用いる光学ヘッド装置の配線装置において、フレキシブル配線基板の相違する種類の信号路がそれぞれ形成される第１信号経路部及び第２信号経路部が重ねて配置される部分に対応して光学ハウジングにネジ止め固定する取付板を配置し、この取付板を導電性材料により構成し、前記第１信号経路部及び第２信号経路部の一方を前記取付板により被ってこの取付板と共に光学ハウジングにネジ止め固定すると共に、前記取付板に前記第１信号経路部及び第２信号経路部の他方を係止する係止部を設け、前記取付板を前記第１信号経路部及び第２信号経路部間に介在させて配置したことを特徴とする光学ヘッド装置の配線装置。
【請求項２】
対物レンズを駆動するアクチュエータを各種光学素子が組み込まれる光学ハウジングに載置されて構成される光学ヘッド装置において、光学ハウジングのアクチュエータが載置される部位にフレキシブル配線基板が配設され、前記取付板を光学ハウジングに固定する位置がアクチュエータの可動部に相対する位置であることを特徴とする請求項１記載の光学ヘッド装置の配線装置。
【請求項３】
レーザ光源からのレーザ光を対物レンズに入射する入射光路上に前記レーザ光を屈曲する立上げミラーが配置される光学ヘッド装置において、レーザ光源からのレーザ光が前記立上げミラーを透過する透過光路上に前記レーザ光の強度を検出するためのフロントモニタ検出器が配置され、このフロントモニタ検出器にフレキシブル配線基板の第１信号経路部が接続され、フレキシブル配線基板の第２信号経路部がアクチュエータを駆動する駆動信号の供給路を形成することを特徴とする請求項２記載の光学ヘッド装置の配線装置。
【発明の詳細な説明】
【技術分野】
【０００１】
本発明は、レーザ光源から出射されるレーザ光を用いて信号記録媒体に対する信号読み取り、及びあるいは信号書き込みを行う光学ヘッド装置内の電気配線にフレキシブル配線基板を用いる光学ヘッド装置の配線装置に関する。
【背景技術】
【０００２】
光学ヘッド装置は、一般に対物レンズを駆動するアクチュエータを対物レンズを除く各種光学部品が組み込まれる光学ハウジングに載置されて構成されており、このような光学ヘッド装置には、光源となる半導体レーザ、信号記録媒体により反射されたレーザ光を受光する光検出器、前記半導体レーザを駆動するレーザ駆動用半導体集積回路、及び回路定数を設定するコイル、コンデンサ、抵抗、あるいは半導体レーザの出射光量を所定強度に保持するために該半導体レーザから出射されるレーザ光を受光するフロントモニタダイオード等の電気部品が搭載される。
【０００３】
また、対物レンズを駆動するアクチュエータが永久磁石、ヨーク及び各種駆動コイル（フォーカスコイル及びトラッキングコイル、必要に応じてチルトコイル）により構成され、前記各種駆動コイルに駆動信号を供給するようになっている。
【０００４】
その為、光学ヘッド装置においては、光学ヘッド装置に搭載される電気部品を接続するため、及び前記各種駆動コイルに駆動信号を供給するためにフレキシブル配線基板が用いられる。（特許文献１参照）
【特許文献１】特開２００１−３３９１８２号公報
【発明の開示】
【発明が解決しようとする課題】
【０００５】
光学ヘッド装置に搭載される各種電気部品の位置、及び各種駆動コイルに駆動信号を供給する端子部の位置は、光学ヘッド装置の外形、光学配置及び各種電気部品の接続関係、及びアクチュエータの位置を考慮して、あるいはフレキシブル配線基板を折り曲げることを考慮して設定されることからフレキシブル配線基板の形状が枝状に分岐して複雑になっている。
【０００６】
ところで、フロントモニタダイオードはレーザ光源から信号記録媒体に向かう光路の途中に分岐光路を形成して配置する必要があることからフレキシブル配線基板のフロントモニタダイオードに接続される信号経路部は、一般に光学ヘッド装置の中央部分に配線されることになり、光学ハウジングの上面でアクチュエータが載置される部分に配置される場合がある。
【０００７】
また、アクチュエータの各駆動コイルに供給する駆動信号を中継する中継部に接続されるフレキシブル配線基板の信号経路部は、光学ハウジングのアクチュエータが載置される部位に隣接されることになる。
【０００８】
その為、フレキシブル配線基板のフロントモニタダイオードに接続される信号経路部やフレキシブル配線基板の前記中継部に接続される信号経路部は、アクチュエータに接近して配置されることになり、また、フレキシブル配線基板は光学ヘッド装置の形状に添って折り曲げて配置されるので、フレキシブル配線基板の折り曲げ部分の復元力によりアクチュエータに接近して配置されるフレキシブル配線基板の信号経路部がアクチュエータの可
動部である対物レンズが設置されたレンズホルダやこのレンズホルダを変位可能に支持する支持部材、例えばサスペンションワイヤーに接触する危惧がある。
【０００９】
また、フレキシブル配線基板のフロントモニタダイオードに接続される信号経路部とフレキシブル配線基板の前記中継部に接続される信号経路部とが接近した位置となり、これら２つの信号経路部が込み入って配置される場合があった。
【課題を解決するための手段】
【００１０】
本発明は、フレキシブル配線基板の相違する種類の信号路がそれぞれ形成される第１信号経路部及び第２信号経路部が重ねて配置される部分に対応して光学ハウジングにネジ止め固定する取付板を配置し、この取付板を導電性材料により構成し、前記第１信号経路部及び第２信号経路部の一方を前記取付板により被ってこの取付板と共に光学ハウジングにネジ止め固定すると共に、前記取付板に前記第１信号経路部及び第２信号経路部の他方を係止する係止部を設け、前記取付板を前記第１信号経路部及び第２信号経路部間に介在させて配置させている。このようにして前記取付板により前記第１信号経路部及び第２信号経路部を係止するようにすると共に、前記取付板により前記第１信号経路部及び第２信号経路部間をシールドするようにしている。
【発明の効果】
【００１１】
本発明に係るヘッド装置の配線装置は、光学ハウジングにネジ止め固定される取付板と一緒に第１信号経路部及び第２信号経路部の一方が固定されると共に、取付板の係止部により第１信号経路部及び第２信号経路部の他方が係止されるので、１つの取付板により第１信号経路部及び第２信号経路部を光学ハウジングに添わせて設置することが出来、第１信号経路部及び第２信号経路部がアクチュエータに接近して配置される場合、これらの第１信号経路部及び第２信号経路部がアクチュエータに接触するのが防止出来る。
【００１２】
また、導電性材料により構成される取付板が第１信号経路部及び第２信号経路部間に介在されるので、第１信号経路部及び第２信号経路部間がシールドされ、互いの信号経路部間のクロストークが防止され、特にフロントモニタ検出器に接続される第１信号経路部においては、半導体レーザの駆動パルスに応じたレーザ光が受光されることにより輻射されるノイズから第２信号経路部をシールドすることが出来る。
【実施例】
【００１３】
図１は本発明に係る光学ヘッド装置の配線装置の一実施例を示す展開斜視図であり、ＤＶＤ及びＣＤの両ディスクの信号記録再生に対応した光学ヘッド装置の一例を示している。
【００１４】
また、図２は図１の主要部分を相違する方向から示す展開斜視図、図３は図２に示す光学ヘッド装置の配線装置を組み立てた状態を示す斜視図である。
【００１５】
光学ハウジング１はアルミダイキャストにより構成され、この光学ハウジング１には対物レンズ２を駆動するアクチュエータ３が取り付けられると共に、ＤＶＤ及びＣＤの各ディスクにそれぞれ適合する波長のレーザ光源となる第１レーザダイオード１１及び第２レーザダイオード１２からのレーザ光を対物レンズ２によりディスクに収束して照射するべく対物レンズ２に導く入射光路と、ＤＶＤ及びＣＤの各ディスクにより反射されたレーザー光を受光するべく光検出器１３に導く反射光路とが形成されており、前記入射光路上において対物レンズ２の手前側に光ビームを屈曲する立上げミラー４が配置されている。
【００１６】
前記立上げミラー４の入射光路上のレーザ光が透過する方向の延長線上には、光学ハウジング１に一体的に形成された２本の支持突柱６ａ，６ｂに両側が接着剤により接着固定
されて受光面を立上げミラー４に向けてフロントモニタダイオード５が配置されている。
【００１７】
ここで、立上げミラー４は第１レーザダイオード１１及び第２レーザダイオード１２からの各波長のレーザ光に対して透過漏れを有するリケージミラーにより構成されており、第１レーザダイオード１１及び第２レーザダイオード１２からの各レーザ光の波長に対して数％、例えば５％程度の透過特性を有するように設計されている。この立上げミラー４は板ガラスにイオンアシスト方式によるアルミニウムコートによりミラー面を蒸着して構成される。
【００１８】
その為、フロントモニタダイオード５には、第１レーザダイオード１１及び第２レーザダイオード１２からの各レーザ光がディスクに向かう途中で一部が立上げミラー４を透過して受光される。
【００１９】
フロントモニタダイオード５に受光されるレーザ光は、ＡＰＣ回路（図示せず）により受光量を一定に保持するべく制御されるので、第１レーザダイオード１１及び第２レーザダイオード１２から出射される各レーザ光の発光出力はそれぞれ前記ＡＰＣ回路によって一定に保持されるべく制御される。
【００２０】
ところで、フロントモニタダイオード５の電気配線にはフレキシブル配線基板７が用いられている。前記フレキシブル配線基板７は光学ヘッド装置と該光学ヘッド装置が搭載される機器本体に設置される回路基板（図示せず）とを接続する伝送ケーブルとしての役割があると共に、このフレキシブル配線基板７にはフロントモニタダイオード５に限らず光学ヘッド装置の光学ハウジング１に組み込まれる第１レーザダイオード１１及び第２レーザダイオード１２、ＤＶＤ及びＣＤの各ディスクにより反射されたレーザー光を受光する光検出器１３や、前記第１レーザダイオード１１及び第２レーザダイオード１２をそれぞれ駆動するレーザ駆動用半導体集積回路（図示せず）等の各種電気部品が接続、あるいは設置される。
【００２１】
尚、前記フレキシブル配線基板７はポリイミド等の樹脂フィルムから成るベースフィルムに銅箔の導電パターンが形成され、該導電パターンのハンダ付け可能なランド領域を除いてポリイミド等の樹脂フィルムから成るカバーフィルムが被覆されて構成される。
【００２２】
図４は上述した光学ヘッド装置の配線装置に使用されるフレキシブル配線基板７を示すもので、このフレキシブル配線基板７の外形形状と所定部分での山折り（実線で示す部分）、谷折り（破線で示す部分）による折り曲げにより、各種電気部品が接続、あるいは設置される部位が光学ヘッド装置１の所定位置に設定される。
【００２３】
第１レーザダイオード１１及び第２レーザダイオード１２は、図４に示す如く、フレキシブル配線基板７に設置される別体のサブ基板１７に接続され、このサブ基板１７を介在して間接的にフレキシブル配線基板７に設置されるようになっている。
【００２４】
ところで、アクチュエータ３は、光学ハウジング１にフレキシブル配線基板７を設置した状態で、光学ハウジング１の上面に載置される。光学ハウジング１の中央部分にはフレキシブル配線基板７のフロントモニタダイオード５に接続されるモニタ信号経路部７ａが配線され、このモニタ信号経路部７ａは光学ハウジング１の上面でアクチュエータ３が載置される部分に配置される。
【００２５】
また、フレキシブル配線基板７には、アクチュエータ３のフォーカスコイル、トラッキングコイル及びチルトコイルの各駆動コイルに供給する駆動信号を中継するアクチュエータ３のプリント基板８に接続されるアクト信号経路部７ｂが形成されており、このアクト
信号経路部７ｂは光学ハウジング１のアクチュエータ３が載置される部位に隣接される。そして、光学ハウジング１のアクチュエータ３が載置される部位となる凹所においてモニタ信号経路部７ａとアクト信号経路部７ｂとが隣接して並んで配置され、モニタ信号経路部７ａ及びアクト信号経路部７ｂのそれぞれ前記凹所手前の根元側においてモニタ信号経路部７ａとアクト信号経路部７ｂとが重ねて配置される。
【００２６】
このモニタ信号経路部７ａとアクト信号経路部７ｂとが重ねて配置される部位には取付板２１が光学ハウジング１にネジ止め固定されるようになっており、ネジ２２が貫通される取付板２１の孔２３に相対してフレキシブル配線基板７にはネジが貫通される孔２４が形成されると共に、光学ハウジング１にネジ２２が螺合されるネジ穴２６が形成され、取付板２１をネジ止めすることによりこの取付板２１により被われてモニタ信号経路部７ａが光学ハウジング１に固定されるようになっている。
【００２７】
尚、図１及び図２において、フレキシブル配線基板７が折り曲げられた状態を示しているので、取付板２１がアクト信号経路部７ｂの上に被せられるように見えるが、前述のように、光学ハウジング１にネジ止めされた取付板２１の上にアクト信号経路部７ｂが被せられるように配置される。
【００２８】
前記取付板２１は金属板（例えばステンレス板）の板金加工により形成され、光学ハウジング１の凹所を囲う壁面１ａにより形成される段差に添って設置されるべく段差部２１ａを備えており、モニタ信号経路部７ａに添った形状に形成されている。
【００２９】
アクト信号経路部７ｂは前記取付板２１上に重ねて配置され、取付板２１の段差部２１ａに形成される係止部２５に係止されている。これにより光学ハウジング１の凹所を形成する段差に添って折曲されるアクト信号経路部７ｂがフレキシブル配線基板７の復元性によりその折曲部分でアクチュエータ３側に張り出すのを防止している。
【００３０】
ところで、取付板２１は金属板により構成され、導電性を備えており、取付板２１を固定するネジ、及びアルミダイキャスト製の光学ハウジング１も導電性を備えている。そして、フレキシブル配線基板７の孔２４の周囲にはアースパターンに直結されるランド部７ｃが形成されており、このランド部７ｃは取付板２１が光学ハウジング１にネジ止め固定されることにより取付板２１の裏面に圧接される。その為、このネジ止め部分でフレキシブル配線基板７のアースが接続されると共に、取付板２１がアース電位に設定される。
【００３１】
また、モニタ信号経路部７ａとアクト信号経路部７ｂとが重ねて配置される部位においては、前記取付板２１が挟まれて配置されることになり、前記取付板２１がモニタ信号経路部７ａ及びアクト信号経路部７ｂ間のシールド板の役割を担い、特に、第１あるいは第２レーザダイオード１１あるいは１２の駆動パルスに応じたレーザ光が受光されることによりモニタ信号経路部７ａにより輻射されるノイズからアクト信号経路部７ｂがシールドされる。
【００３２】
尚、フレキシブル配線基板７のアースが取付板２１のネジ止め部分とは相違する部分で接続される場合は、フレキシブル配線基板７の孔２４の周囲にランド部７ｃを形成する必要は無い。
【００３３】
また、上記実施例においては取付板２１を金属板により構成したが、基材自体に導電性が無くても銀等の金属コーティングを施して導電性を持たせることにより取付板にシールド効果を持たせることが可能であるので、取付板はこのような導電性を備えた導電性部材であっても良い。
【図面の簡単な説明】
【００３４】
【図１】本発明に係る光学ヘッド装置の配線装置の一実施例を示す展開斜視図である。
【図２】図１の主要部分を相違する方向から示す展開斜視図である。
【図３】図２に示す光学ヘッド装置の配線装置を組み立てた状態を示す斜視図である。
【図４】フレキシブル配線基板５の外形を示すと共に、折り曲げ方を説明する説明図である。
【符号の説明】
【００３５】
１        光学ハウジング
３        アクチュエータ
４        立上げミラー
５        フロントモニタダイオード
７        フレキシブル配線基板
７ａ        モニタ信号経路部（第１信号経路部）
７ｂ        アクト信号経路部（第２信号経路部）
１０        光学ハウジング
１１        第１レーザダイオード
１２        第２レーザダイオード
２１        取付板
２５        係止部
【図１】
2005346852.tif 000003
【図２】
2005346852.tif 000004
【図３】
2005346852.tif 000005
【図４】
2005346852.tif 000006